(57)【特許請求の範囲】
【請求項１】
螺旋に２周巻かれた形状の線状体により、線状体の第一端部（１１）を含む第一ループ（１０）と線状体の第二端部（２１）を含む第二ループ（２０）とが連続しており、第一ループ（１０）と第二ループ（２０）は直径が等しく、第一端部（１１）と第二端部（２１）は螺旋の進行方向に第一の間隔（Ｓ１）をおいており、第一ループ（１０）の第一端部（１１）から半周離れた第一中央部（１２）と第二ループ（２０）の第二端部（２１）から半周離れた第二中央部（２２）は螺旋の進行方向に前記第一の間隔（Ｓ１）よりも大きい第二の間隔（Ｓ２）をおいていることを特徴とするぬいぐるみサポート。
【請求項２】
第一の間隔（Ｓ１）は、前記直径の０．２〜０．６倍である請求項１記載のぬいぐるみサポート。
【請求項３】
第二の間隔（Ｓ２）は、第一の間隔（Ｓ１）の１．４〜２倍である請求項２記載のぬいぐるみサポート。
【請求項４】
第一端部（１１）及び第二端部（２１）のいずれか一方又は両方が、螺旋の外方へ突出している請求項２又は３記載のぬいぐるみサポート。
【請求項５】
第一端部（１１）及び第二端部（２１）のいずれか一方又は両方が、螺旋の外方へ突出している、前記直径よりも小さい直径の半ループ状端部である請求項２又は３記載のぬいぐるみサポート。
【発明の詳細な説明】
【技術分野】
【０００１】
本発明は、ぬいぐるみを所定の姿勢に支えるためのぬいぐるみサポートに関するものである。
【背景技術】
【０００２】
ぬいぐるみの愛好家は、長年の収集により、例えば十個ないし数百個という多数個のぬいぐるみを所有するに到る場合が多い。このような多数個のぬいぐるみを、１つ１つ整然と室内に飾り付けることは困難なため、どうしても山積みにしたり段ボール箱に入れたりしがちになる。
【０００３】
上記困難の理由は、ぬいぐるみは軟弱なものが多く、そのため姿勢を保てず、せっかく飾っても倒れやすいというところにある。このようなぬいぐるみを所定の姿勢に支えるには、サポートの使用が必要となる。しかし、これまでは、ぬいぐるみサポートがほとんど実用化されておらず、特許文献に散見される程度である。
【０００４】
例えば、特許文献１には、動物造形物（ぬいぐるみ）の胴を後方から抱き締める左右の腕部と、両脚間の股間を下から支持する下受け部と、腕部及び下受け部を所定の中空高に支持する支柱部と、支柱部の転倒を阻止する土台部とを有するスタンドが記載されている。
【０００５】
また、ぬいぐるみ以外の人形を対象とするものとして、特許文献２，３には、ベース台と、ベース台に立ち上げた支柱と、支柱に取り付けられて人形の一部を抱持するＣ字形のホルダーとを有するスタンドが記載されている。
【先行技術文献】
【特許文献】
【０００６】
【特許文献１】特開２００８−２８４０８９号公報
【特許文献２】実用新案登録第３０５９７４７号公報
【特許文献３】実用新案登録第３０６６８５６号公報
【発明の概要】
【発明が解決しようとする課題】
【０００７】
しかしながら、特許文献１のスタンドは、ぬいぐるみをもっぱら立った姿勢に支えるものであり、その他の色々な姿勢で支えることはできない。そのため、複数個のぬいぐるみを室内に飾り付けるような場合に、単調な飾り付けとなってしまう。また、特許文献１のスタンドは、構造がやや複雑で取り扱いにくく、コスト高になると考えられる。
【０００８】
そこで、本発明の目的は、ぬいぐるみを色々な姿勢に支えることができるとともに、構造がシンプルで取り扱いやすく、低コストにできる新規なぬいぐるみサポートを提供することにある。
【課題を解決するための手段】
【０００９】
上記課題を解決するため、本発明のぬいぐるみサポートは、螺旋に２周巻かれた形状の線状体により、線状体の第一端部を含む第一ループと線状体の第二端部を含む第二ループとが連続しており、第一ループと第二ループは直径が等しく、第一端部と第二端部は螺旋の進行方向に第一の間隔をおいており、第一ループの第一端部から半周離れた第一中央部と第二ループの第二端部から半周離れた第二中央部は螺旋の進行方向に前記第一の間隔よりも大きい第二の間隔をおいていることを特徴とする。ここで、２周とは、厳密な２．０周に限らず、実質的に２周と見られる例えば１．９〜２．１周も含む意味である。また、第一の間隔は、第一端部と第二端部とが最も近付く箇所の間隔である。
【００１０】
第一ループと第二ループの直径（線状体の中心線での直径、以下同じ。）は、特に限定されないが、ぬいぐるみの一般的なサイズを考慮すると、６０〜３００ｍｍが好ましい。第一の間隔は、特に限定されないが、前記直径の０．２〜０．６倍が好ましい。第二の間隔は、特に限定されないが、第一の間隔の１．４〜２倍が好ましい。
【００１１】
本発明のぬいぐるみサポートによれば、例えば第一ループを横にして置いたり、第一ループ及び第二ループを縦にして置いたりするなど置き方を変え、さらに第一ループ及び第二ループによる支え方を変えて、ぬいぐるみを色々な姿勢に支えることができる。
【００１２】
第一端部及び第二端部のいずれか一方又は両方が、螺旋の外方へ突出していることが好ましい。第一ループ及び第二ループを縦にしてぬいぐるみサポートを置いたときに、螺旋の外方へ突出している第一端部又は第二端部が、ぬいぐるみサポートの転がりを止めるからである。
【００１３】
第一端部及び第二端部のいずれか一方又は両方を、螺旋の外方へ突出している、前記直径よりも小さい直径の半ループ状端部とすることもできる。この半ループ状端部によっても小さいぬいぐるみを支え、ぬいぐるみの組み合わせの面白さを楽しむことができる。
【００１４】
線状体としては、特に限定されないが、金属線（例えば、鋼線、アルミニウム線、銅線等）、樹脂被覆された金属線、樹脂線等を例示できる。
【発明の効果】
【００１５】
本発明のぬいぐるみサポートによれば、ぬいぐるみを色々な姿勢に支えることができるとともに、構造がシンプルで取り扱いやすく、低コストにできるという優れた効果を奏する。
【図面の簡単な説明】
【００１６】
【図１】実施例１のぬいぐるみサポートの斜視図である。
【図２】同ぬいぐるみサポートの（ａ）は正面図、（ｂ）は背面図、（Ｃ）は平面図、（ｄ）は底面図、（ｅ）は右側面図、（ｆ）は左側面図である。
【図３】同ぬいぐるみサポートによりぬいぐるみを、（ａ）は尻を降ろした姿勢に支えた正面図、（ｂ）は腹這いの姿勢に支えた正面図である。
【図４】同ぬいぐるみサポートによりぬいぐるみを、（ａ）は立った姿勢に支えた正面図、（ｂ）は尻を降ろした姿勢に支えた正面図である。
【図５】実施例２のぬいぐるみサポートの、（ａ）は斜視図、（ｂ）は右側面図である。
【図６】同ぬいぐるみサポートにより２つのぬいぐるみを尻を降ろした姿勢に支えた正面図である。
【発明を実施するための形態】
【００１７】
ぬいぐるみサポートは、螺旋に２周巻かれた形状の線状体により、線状体の第一端部を含む第一ループと線状体の第二端部を含む第二ループとが連続しており、第一ループと第二ループは直径が等しく、第一端部と第二端部は螺旋の進行方向に第一の間隔をおいており、第一ループの第一端部から半周離れた第一中央部と第二ループの第二端部から半周離れた第二中央部は螺旋の進行方向に前記第一の間隔よりも大きい第二の間隔をおいている。寸法例として、第一ループと第二ループの直径は６０〜３００ｍｍ、第一の間隔は前記直径の０．２〜０．６倍、第二の間隔は第一の間隔の１．４〜２倍である。
【実施例１】
【００１８】
図１〜図４に示す実施例１のぬいぐるみサポートは、螺旋に２周巻かれた形状の線状体により、線状体の第一端部１１を含む第一ループ１０と、線状体の第二端部２１を含む第二ループ２０とが連続しているものである。第一端部１１及び第二端部２１は、螺旋の各端の付近部分である。第一端部１１及び第二端部２１の両方が、螺旋の外方へ斜めに突出し、最端で１〜１０ｍｍ程度突出している。線状体には、線径３〜６ｍｍ程度の鋼線に樹脂被覆がされその両端に樹脂キャップが嵌められたものが使用されている。
【００１９】
第一ループ１０と第二ループ２０は直径が等しく、例えば約１１０ｍｍである。第一端部１１と第二端部２１は、螺旋の進行方向に第一の間隔Ｓ１をおいており、第一の間隔Ｓ１は前記直径の０．４５倍の約５０ｍｍである。
【００２０】
第一ループ１０の第一端部１１から半周離れた第一中央部１２と、第二ループ２０の第二端部２１から半周離れた第二中央部２２は、螺旋の進行方向に前記第一の間隔Ｓ１よりも大きい第二の間隔Ｓ２をおいており、第二の間隔Ｓ２は第一の間隔Ｓ１の１．７倍の８５ｍｍである。
【００２１】
実施例１のぬいぐるみサポートによれば、次のように、ぬいぐるみを色々な姿勢に支えることができる。
（１）図３（ａ）に示すように、第一ループ１０を横にして置き、第二ループ２０の中に腕も含めてぬいぐるみを挿入し、第二ループ２０の第２中央部２２で背中を支えて、尻を降ろした姿勢に支える。
（２）図３（ｂ）に示すように、第一ループ１０を横にして置き、第二ループ２０の上にぬいぐるみを置いて腹這いの姿勢に支える。こうすると、ぬいぐるみが宙を飛んでいるように見えるため、新鮮な面白さを感じることができる。
（３）図４（ａ）に示すように、第一ループ１０を横にして置き、第二ループ２０の中に腕は出してぬいぐるみを挿入し、第二ループ２０の第２中央部２２の左右で脇を支えて、立った姿勢に支える。
（４）図４（ｂ）に示すように、第一ループ１０及び第二ループ２０を縦にして置き、第一ループ１０と第二ループ２０との間に腕は出してぬいぐるみを挿入し、尻を降ろした姿勢に支える。こうすると、前記（１）のぬいぐるみよりもサイズの大きいぬいぐるみを支えることができる。また、このとき、螺旋の外方へ突出している第一端部１１又は第二端部２１が、ぬいぐるみサポートの転がりを止める。
【００２２】
ここで、第一の間隔Ｓ１よりも第二の間隔Ｓ２の方が大きいため、第一ループ１０を横にして置いたときに第二ループ２０が傾斜する。この傾斜が、上記（１）と（２）をそれぞれ実施しやすくしている。またこの傾斜があるため、上記（３）でぬいぐるみの方向を変えれば、頭が足よりも下がる傾きの腹這い姿勢や、頭が足よりも上がる傾きの腹這い姿勢にできる。
【００２３】
また、第一ループ１０と第二ループ２０は直径が等しいことにより、第一ループ１０及び第二ループ２０を縦にして置いたときに、ぬいぐるみサポートがバランス良く立つ。このため、上記（４）を実施しやすい。
【００２４】
以上のとおり、実施例１のぬいぐるみサポートは、ぬいぐるみを色々な姿勢に支えることができるので、特に、複数個のぬいぐるみを室内に飾り付けるような場合に、バリエーションに富んだ飾り付けをすることができる。このため、前述したように、従来は山積みにしたり段ボール箱に入れたりしていた多数個のぬいぐるみを有効活用し、室内に賑やかに飾り付けて楽しむことができる。
【００２５】
また、実施例１のぬいぐるみサポートは、構造が単純な２周巻きの螺旋形状というシンプルなものであり、取り扱いやすく、また、低コストにできる。
【実施例２】
【００２６】
図５、図６に示す実施例２のぬいぐるみサポートは、第一端部１１及び第二端部２１の両方が、螺旋の外方へ突出した前記直径よりも小さい直径の半ループ状端部とされている点と、それらが最も近付く突出端での第一の間隔Ｓ１が３０ｍｍとされている点においてのみ、実施例１と相違するものである。
【００２７】
実施例２のぬいぐるみサポートによれば、実施例１と同じくぬいぐるみを色々な姿勢に支えることができるほか、そのぬいぐるみよりも小さいぬいぐるみを、第二端部２１（半ループ状端部）の中に挿入して支えることができる。これにより、組み合わせの面白さを楽しむことができる。
【００２８】
なお、本発明は前記実施例に限定されるものではなく、発明の趣旨から逸脱しない範囲で適宜変更して具体化することができる。
【符号の説明】
【００２９】
１０    第一ループ
１１    第一端部
１２    第一中央部
２０    第二ループ
２１    第二端部
２２    第二中央部
Ｓ１    第一の間隔
Ｓ２    第二の間隔
【図１】
0006043309.tif 000002
【図２】
0006043309.tif 000003
【図３】
0006043309.tif 000004
【図４】
0006043309.tif 000005
【図５】
0006043309.tif 000006
【図６】
0006043309.tif 000007